(57)【要約】      （修正有）【課題】奥行き方向で二つ折りすることができるとともに、形状を保持して形崩れを抑える。【解決手段】上方が開口された略直方体状のバッグ本体２と、バッグ本体２の前胴部７および後胴部８にそれぞれ縫着された前フラップ３および後フラップ４と、前後のフラップ３，４に縫着された一対の取っ手５，５とから構成されたバッグ１において、前記バッグ本体２の左右の側部９の外周端縁に設けられた玉縁部１２が奥行き方向の略中間位置において折曲可能に前後の玉縁部１２１，１２２に二分割されている。これにより、側部９の剛性を高めて立設状態に保持し、形崩れを防止するとともに、前後方向の略中間位置で折り込んで二つ折りすることができる。【選択図】図３
0003131245.tif 000002
【実用新案登録請求の範囲】
【請求項１】
底部と、底部の前端縁および後端縁にそれぞれ各下端縁が縫着された前胴部および後胴部と、底部、前胴部、後胴部の各左端縁および各右端縁にそれぞれ各下端縁および各前後端縁が縫着された左側部および右側部とからなる上方が開口された略直方体状のバッグ本体と、前胴部および後胴部にそれぞれ縫着された前フラップおよび後フラップと、前後のフラップにそれぞれ縫着された一対の取っ手とから構成されたバッグにおいて、前記バッグ本体の左右の側部の外周端縁に設けられた玉縁部が奥行き方向の略中間位置において折曲可能に前後に二分割されていることを特徴とするバッグ。
【請求項２】
前記前後に二分割された玉縁部の対向する上下の先端部がそれぞれ継ぎ目カバーによって覆われることを特徴とする請求項１記載のバッグ。
【考案の詳細な説明】
【技術分野】
【０００１】
この考案は、バッグ、特に小中学生が絵の具やパレットなどの画材を携帯する際に好適なバッグに関するものである。
【背景技術】
【０００２】
従来より、画材などのバッグとしては、ナイロンなどのシートにより略直方体状に形成されたバッグ本体を有し、その上方開口部をスライドファスナーによって開閉自在に閉止しており、スライドファスナーを開閉操作し、上方開口部を通してバッグ本体の内部に画材などを収容し、あるいは、収容した画材などを取り出すようにしている（例えば、特許文献１参照）。
【０００３】
このようなバッグは、スライドファスナーを操作して閉止状態を解除しても、スライドファスナーの剛性によって対向する務歯がほぼ近接した状態に保持されており、上方開口部を通して画材などを収容し、あるいは、取り出す場合には、さらに上方開口部を押し広げて大きく開口させる必要がある。すなわち、上方開口部の閉止状態を解除する操作と、上方開口部を押し広げる操作が必要となり、低学年の児童にとっては取り扱いにくいものとなっていた。
【０００４】
このような点に対応して、バッグ本体に蓋体を折曲自在に連設するとともに、バッグ本体に対して蓋体をファスナーによって固定可能に構成し、蓋体の折曲操作によってバッグ本体の上方開口部を開閉するバッグも提案されている（例えば、特許文献２参照）。
【０００５】
このようなバッグにおいては、ファスナーによる固定を解除して蓋体を折曲操作することで、バッグ本体の上方開口部を押し広げることなく開口することができ、上方開口部を通して画材などを容易に収容し、あるいは、取り出すことができる。
【特許文献１】特開平９−２３９１８号公報
【特許文献２】特開２００３−２９９５１９号公報
【考案の開示】
【考案が解決しようとする課題】
【０００６】
ところで、引用文献１のバッグにおいては、流通業者などに輸送する際、奥行き方向で二つ折りすることができ、体積を減少させて輸送効率を高めることができるものの、腰が弱いため、形崩れしやすく、外観が不体裁になりやすいという欠点がある。一方、引用文献２のバッグにおいては、芯材によって形崩れすることはないが、そのため、略直方体形状のまま輸送しなければならず、輸送効率が低いという欠点がある。
【０００７】
なお、バッグにおいて、バッグ本体を構成する各部シート材の縫製による連設部に玉縁部を一体に縫着し、バッグ本体が形崩れしないように剛性を向上させることも行われている。例えば、前後の胴部の外周端縁あるいは左右の側部の外周端縁に合成樹脂製の玉縁部を挟み込んで一体に縫着することも提案されている。
【０００８】
本考案は、このような問題点に鑑みてなされたもので、奥行き方向で二つ折りすることができるとともに、形状を保持して形崩れを抑えることのできるバッグを提供するものである。
【課題を解決するための手段】
【０００９】
本考案は、底部と、底部の前端縁および後端縁にそれぞれ各下端縁が縫着された前胴部および後胴部と、底部、前胴部、後胴部の各左端縁および各右端縁にそれぞれ各下端縁および各前後端縁が縫着された左側部および右側部とからなる上方が開口された略直方体状のバッグ本体と、前胴部および後胴部にそれぞれ縫着された前フラップおよび後フラップと、前後のフラップにそれぞれ縫着された一対の取っ手とから構成されたバッグにおいて、前記バッグ本体の左右の側部の外周端縁に設けられた玉縁部が奥行き方向の略中間位置において折曲可能に前後に二分割されていることを特徴とするものである。
【００１０】
本考案によれば、バッグ本体の左右の側部の外周端縁に設けられた玉縁部が奥行き方向の略中間位置において折曲可能に前後に二分割されていることにより、左右の側部の前半部と後半部の外面同士および底部の前半部と後半部の外面同士が重なるように折り込んで前胴部と後胴部が重なるように押し潰すことができる。
【００１１】
したがって、輸送時において、バッグ本体を押し潰して体積を減少させて輸送することができるため、輸送効率を向上させることができる。一方、使用時においては、前後に分割された玉縁部が左右の側部の外周端縁にほぼ全周にわたって縫着されていることにより、左右の側部の剛性を向上させて立設状態に保持することができ、バッグ本体を略直方体形状に保形して形崩れすることを抑えることができる。
【００１２】
本考案において、前記前後に二分割された玉縁部の対向する上下の先端部がそれぞれ継ぎ目カバーによって覆われると、分割された各玉縁部の先端部が露出することによる見栄えの低下や、その先端に指などが接触することによる傷付きや玉縁部の損傷を防止することができる。この場合、継ぎ目カバーとして、バッグ本体の胴部を形成するシートと同一のシートを用いることが好ましい。
【考案の効果】
【００１３】
本考案によれば、奥行き方向で二つ折りすることができるとともに、形状を保持して形崩れを抑えることができる。
【考案を実施するための最良の形態】
【００１４】
以下、本考案の実施の形態を図面に基づいて説明する。
【００１５】
図１および図２には、本考案のバッグ１の一実施形態が示されている。
【００１６】
このバッグ１は、上方が開口された略直方体状のバッグ本体２と、バッグ本体２の前後の上端縁にそれぞれ各下端縁が縫着されて、その上方開口部を開閉可能な前フラップ３および後フラップ４と、前後のフラップ３，４の各下端部にそれぞれ縫着された一対の取っ手５，５とから構成されている。
【００１７】
バッグ本体２は、底部６と、底部６の前端縁に下端縁が縫着された前胴部７と、底部６の後端縁に下端縁が縫着された後胴部８と、底部６の左端縁、前胴部７の左端縁および後胴部８の左端縁と対応する下端縁および前後各端縁がそれぞれ縫着された左側部９と、底部６の右端縁、前胴部７の右端縁および後胴部８の右端縁と対応する下端縁および前後各端縁がそれぞれ縫着された右側部１０と、左側部９の上端縁および右側部１０の上端縁に外端縁がそれぞれ縫着された左右の支持片１１，１１とからなり、左側部９の外周端縁および右側部１０の外周端縁には、それぞれ後述する玉縁部１２が合わせて縫着されている。
【００１８】
ここで、底部６は、内面が防水加工されたナイロンなどの柔軟な合成樹脂製シートからなり、外面側四隅には、脚部６１が設けられる他、左右方向に間隔をおいて鳩目による複数個の通水口６ａが設けられている。また、前胴部７は、詳細には図示しないが、芯材、例えば、柔軟なポリエチレンなどの発泡シートの表裏両面をナイロンなどの柔軟な合成樹脂製シートによって挟み込んで形成されたシート材からなり、クッション性を有している。さらに、後胴部８は、メッシュ状シートおよびその左右端縁にそれぞれ縫着された前胴部７と同一の左右のシート材からなり、通気性とクッション性を有している。さらにまた、左右の側部９，１０は、メッシュ状シートからなる。
【００１９】
これにより、バッグ本体２は、後面および左右側面を通して外気が内部に流入し、また、内部の空気が流出し、通気性を確保することができるとともに、底部６に溜まった水を通水口６ａを通して排水することができる。
【００２０】
なお、後胴部８の内面には、ネットによって内ポケット８１が形成され、また、左右の側部９，１０の外面には、補強帯１３を介して肩掛けベルト（図示せず）を係着するリング状の係着具１４が縫着されている。
【００２１】
また、前胴部７の外面には、後述する一対の係止バンド４１，４１に対応して、左右方向に設定間隔をおいて面ファスナー１５を構成するループテープ１５１，１５１が縫着されている。
【００２２】
一方、前後のフラップ３，４は、芯材、例えば、硬質なポリエチレンなどの板材の表裏両面をナイロンなどの柔軟な合成樹脂製シートによって挟み込んで形成されたシート材からなり、前胴部７および後胴部８の各上端縁にそれぞれ補強帯１３を介して縫着されている。この際、前後のフラップ３，４は、芯材を除く表裏シートが補強帯１３と縫着されており、前後のフラップ３，４が剛性の大きな補強帯１３に対して折曲するようになっている。また、後フラップ４の上端縁には、左右方向に間隔をおいて先端部裏面に面ファスナー１５を構成するフックテープ１５２を設けた一対の係止バンド４１，４１が縫着されている。したがって、前フラップ３を補強帯１３に対して後方に折り曲げ、前フラップ３の左右端縁を左右の側部９，１０の各上端縁にそれぞれ縫着された左右の支持片１１，１１に支持し、次いで、後フラップ４を補強帯１３に対して前方に折り曲げて前フラップ３の上に重ねた際、バッグ本体２の上方開口部が閉鎖されるとともに、各係止バンド４１の面ファスナー１５を前胴部７に設けた面ファスナー１５に付着させることができ、これにより、フラップ３，４による上方開口部の閉鎖状態を保持することができる。
【００２３】
なお、前後のフラップ３，４を補強帯１３を介してそれぞれ前胴部７および後胴部８に縫着する際、前後対称となるように一対の取っ手５，５が合わせて縫着されている。
【００２４】
また、前フラップ３を構成するナイロンなどの柔軟な合成樹脂製シートと、前胴部７を構成するナイロンなどの柔軟な合成樹脂製シートとは、連続する１枚のシートによって形成されており、前フラップ３および前胴部７は、予め一体に形成されている。さらに、詳細には図示しないが、前後のフラップ３，４には、磁石が配置されており、それらを折り込んで上下に重ねた際、磁石によって互いに緩やかに吸着するようになっている。
【００２５】
ところで、左側部９の外周端縁および右側部１０の外周端縁にそれぞれ設けられた玉縁部１２は、ビニールなどの合成樹脂製シートを丸い玉状を形成するように折り返して形成され、玉状の折り返し端部を外部に露出させた状態で側部９，１０の外周端縁に配置されて、底部６の端縁、前胴部７の端縁、後胴部８の端縁との間に挟み込んで縫着されている。そして、玉縁部１２は、略正方形状の側部９，１０の外周端縁をほぼ前後に二分割するように、それぞれコ字状に形成され、前玉縁部１２１の先端および後玉縁部１２２の先端が、側部９，１０の上端縁および下端縁の奥行き方向の略中間位置で対向するように、側部９，１０の外周端縁の前半部および後半部にそれぞれ縫着されている。そして、対向する前玉縁部１２１の先端部および後玉縁部１２２の先端部は、前胴部７を構成するナイロンなどの合成樹脂製シートから形成された継ぎ目カバー１６によって覆われて、玉縁部１２の前玉縁部１２１および後玉縁部１２２の上下の継ぎ目がそれぞれ隠蔽されている。この継ぎ目カバー１６は、側部９，１０の各上端縁および各下端縁において、それぞれ支持片１１の端縁および底部６の端縁に挟まれて縫着されている。
【００２６】
このように構成されたバッグ１は、使用時において、前後に二分割された前玉縁部１２１および後玉縁部１２２が左右の側部９，１０の外周端縁にほぼ全周にわたって縫着されていることにより、左右の側部９，１０の剛性を高めて立設状態に保持することができる。したがって、バッグ本体２を略直方体形状に保形して形崩れすることを抑えることができる。
【００２７】
なお、玉縁部１２を構成する前玉縁部１２１および後玉縁部１２２の継ぎ目、すなわち、左右の側部９，１０の各上端縁および各下端縁において対向する前玉縁部１２１および後玉縁部１２２の各先端部は、継ぎ目カバー１６で覆われており、外観の見栄えが低下することがなく、また、それらの先端に接触して傷付いたり、玉縁部１２１，１２２が損傷することを防止できる。
【００２８】
一方、このようなバッグ１を輸送する場合は、バッグ本体２の左右の側部９，１０の外周端縁にそれぞれ設けられた玉縁部１２が奥行き方向の略中間位置において折曲可能に前玉縁部１２１および後玉縁部１２２に二分割されていることにより、左右の側部９，１０の前半部と後半部の外面同士および底部６の前半部と後半部の外面同士が重なるように折り込んで前胴部７と後胴部８が重なるように押し潰すことができる（図３参照）。
【００２９】
したがって、輸送時において、図４に示すように、バッグ本体２を押し潰して体積を減少させて輸送することができるため、輸送効率を向上させることができる。
【図面の簡単な説明】
【００３０】
【図１】本考案のバッグの一実施形態を示す斜視図である。
【図２】図１のバッグの上方開口部を開口した状態を示す斜視図である。
【図３】図１のバッグを折り畳む工程を説明する斜視図である。
【図４】図１のバッグを折り畳んだ状態を示す斜視図である。
【符号の説明】
【００３１】
１  バッグ
２  バッグ本体
３，４  フラップ
５  取っ手
６  底部
７，８  胴部
９，１０  側部
１２  玉縁部
１２１，１２２  前後の玉縁部
１６  継ぎ目カバー
【図１】
0003131245.tif 000003
【図２】
0003131245.tif 000004
【図３】
0003131245.tif 000005
【図４】
0003131245.tif 000006